(57)【特許請求の範囲】
【請求項１】
書類の搬送路、当該書類に記載された書類記載情報を取得する書類記載情報取得手段、書類の切断手段、書類の印刷状態に応じた状態区分を複数設定した状態区分データベースと当該状態区分に該当する書類の区分該当量を記憶する区分該当量記憶領域とを有する記憶手段、および各手段の動作を制御する処理手段、とを備えるシュレッダーであって、
前記書類記載情報取得手段と前記切断手段とを、当該書類記載情報取得手段が前記切断手段の上流側となるように前記搬送路に設けるとともに、
前記状態区分として、書類のリサイクル負荷に対応する印刷領域の面積比率により複数の状態区分が設定されており、
前記切断手段により切断された書類を、前記状態区分に応じて、リサイクル負荷別に、収納する複数の切断書類収納部と、各切断書類収納部に格納された書類を圧縮する圧縮手段と、前記切断手段から当該切断書類収納部への前記搬送路を管理する搬送制御手段と、を有し、
前記処理手段は、
前記切断手段により前記書類を切断する前に、書類記載情報取得手段を介して取得した前記書類記載情報を前記記憶手段に格納すること、
格納した当該書類記載情報に基づき、当該書類のリサイクル負荷に対応する印刷領域の面積比率を求め、求め面積比率に基づいて、前記状態区分データベースを参照して当該書類に対応する状態区分を特定すること、
前記切断する書類に対応する前記区分該当量を特定すること、
当該特定した状態区分と前記区分該当量とを関連付けて、書類のリサイクル負荷に対応する課金額算出のために前記記憶手段に格納すること、
切断した前記書類を、当該書類の前記状態区分に応じた切断書類収納部に収納する制御情報を前記搬送制御手段に送ること、を特徴とするシュレッダー。
【請求項２】
請求項１に記載のシュレッダーにおいて、
前記状態区分は、少なくとも、白黒印刷またはカラー印刷の別と前記書類の印刷領域の面積比率とに基づくことを特徴とするシュレッダー。
【請求項３】
外部システムとの通信手段、情報の記憶手段、および各手段の動作を制御する処理手段とを備えるシュレッダー課金システムにおいて、
前記外部システムは、当該書類に記載された書類記載情報を切断前に取得する書類記載情報取得手段と、書類の印刷状態に応じた状態区分を複数設定した状態区分データベースとを備えるシュレッダーを含み、
前記記憶手段は、前記状態区分に応じた課金調整額を設定した課金調整額データベースを有するものであって、
前記状態区分として、書類のリサイクル負荷に対応する印刷領域の面積比率により複数の状態区分が設定されており、
前記処理手段は、
前記書類記載情報取得手段を介して取得された書類記載情報に基づき前記状態区分データベースを参照して特定された状態区分と、当該状態区分に該当する書類の区分該当量とを、前記シュレッダーから前記通信手段を介して受け付け、受け付けた当該状態区分と区分該当量とを関連付けて前記記憶手段に格納すること、
格納した状態区分と区分該当量とに基づき、前記課金調整額データベースを参照して、当該書類のリサイクル負荷に対応する課金額を算出し、算出した課金額を前記記憶手段に格納すること、を特徴とするシュレッダー課金システム。
【請求項４】
請求項３に記載のシュレッダー課金システムにおいて、
前記状態区分は、少なくとも、白黒印刷またはカラー印刷の別と前記書類の印刷領域の面積比率とに基づくことを特徴とするシュレッダー課金システム。
【請求項５】
外部システムとの通信手段、情報の記憶手段、および各手段の動作を制御する処理手段とを備えるシュレッダー課金システムにおいて、
前記外部システムは、当該書類に記載された書類記載情報を切断前に取得する書類記載情報取得手段を備えるシュレッダーを含み、
前記記憶手段は、書類のリサイクル負荷に対応する印刷領域の面積比率による状態区分を複数設定した状態区分データベースと当該状態区分に該当する書類の区分該当量を記憶する区分該当量記憶領域とを有するものであって、
前記処理手段は、
前記書類記載情報取得手段が取得した書類記載情報を、前記シュレッダーから前記通信手段を介して受け付け、受け付けた書類記載情報を前記記憶手段に格納すること、
格納した当該書類記載情報に基づき前記面接比率を求め、求めた面接比率に基づいて、前記状態区分データベースを参照して当該書類に対応する状態区分を特定するとともに、前記区分該当量を特定すること、
当該特定した状態区分と前記区分該当量とに基づき、書類のリサイクル負荷に対応する課金額を算出し、算出した当該課金額を前記記憶手段に格納すること、を特徴とするシュレッダー課金システム。
【請求項６】
請求項５に記載のシュレッダー課金システムにおいて、
前記状態区分は、少なくとも、白黒印刷またはカラー印刷の別と前記書類の印刷領域の面積比率とに基づくことを特徴とするシュレッダー課金システム。
【請求項７】
請求項３乃至請求項６に記載のシュレッダー課金システムにおいて、
前記処理手段は、
前記シュレッダーから前記書類記載情報を受け付けるとともに、当該書類記載情報を提供した利用者に固有の認証情報を受け付けること、
受け付けた認証情報と、前記特定した状態区分と前記区分該当量とを関連付け、および／または、受け付けた認証情報と、前記課金額とを関連付けて前記記憶手段に格納すること、
前記認証情報に基づき、前記特定した状態区分と前記区分該当量との解析用データを、および／または、前記認証情報に基づき、前記課金額の解析用データを生成すること、を特徴とするシュレッダー課金システム。
【請求項８】
書類に記載された書類記載情報を取得する書類記載情報取得手段と、書類を切断する切断手段と、書類のリサイクル負荷に対応する印刷領域の面積比率に応じた状態区分を複数設定した状態区分データベースと当該状態区分に該当する書類の区分該当量を記憶する区分該当量記憶領域とを有する記憶手段と、当該記憶手段の動作を制御する処理手段と、により実現されるシュレッダー課金方法であって、
前記書類記載情報取得手段が、前記切断手段が書類を切断する前に、当該書類の前記書類記載情報を取得するステップと、
前記処理手段が、前記書類記載情報取得手段が取得した書類記載情報に基づき該書類の印刷領域の面積比率を求め、求めた面積比率に基づいて、前記状態区分データベースを参照して当該書類に対応する状態区分を特定するとともに、前記区分該当量を特定するステップと、
前記処理手段が、特定した状態区分と区分該当量とに基づき、書類のリサイクル負荷に対応する課金額を算出し、算出した当該課金額を前記記憶手段に格納するステップと、を含むことを特徴としたシュレッダー課金方法。
【請求項９】
請求項８に記載のシュレッダー課金方法において、
前記状態区分は、少なくとも、白黒印刷またはカラー印刷の別と前記書類の印刷領域の面積比率とに基づくことを特徴とするシュレッダー課金方法。
【発明の詳細な説明】
【０００１】
【発明の属する技術分野】
本発明は、機密書類を処分するシュレッダー、シュレッダー課金システム、およびシュレッダー課金方法に係り、特に、シュレッダーダストのリサイクルに応じた課金体系を実現するシュレッダー、シュレッダー課金システム、およびシュレッダー課金方法に関する。
【０００２】
【従来の技術】
従来のシュレッダーは、書類の機密処理に主眼がおかれたものであり、切断された書類は、単にひとまとまりとして再利用に供されるものであった。
【０００３】
例えば、特開２０００−３１７３３０号公報では、切断した書類の再生処理を可能とすべく、カーボン紙や感熱紙などの再生利用の障害になる禁忌品を材質の面から選別し、再生利用可能な紙と再生利用不可能な禁忌品とを自動的に選別、除去する構成が開示されている。したがって、本号公報から、様々な禁忌品を判別し、その種別毎に分けるという着想を得ることはできるが、リサイクル対象となる紙は、上質紙という材質の観点から捉えられるため、紙自体はひとまとまりとして扱われる思想の域を出ない。
【０００４】
また、シュレディングされた書類は、リサイクル業者もしくは清掃業者により回収され、処分されるが、一般に、切断後のシュレッダーダストは、その重量を取引単位とされていた。また、シュレッダーの利用に対する課金も、設置されたシュレッダーのグレードや用紙サイズの別に基づき、シュレッダー設置毎に設定されており、シュレッダーダストの取引に基づき課金額が変動することはなかった。
【０００５】
【発明が解決しようとする課題】
しかしながら、環境問題においては事業系ごみの削減が重要視されており、また、リサイクルまでも考慮しなければならない環境重視の時代においては、機密書類をシュレディングしたダストであっても、適切なリサイクル処理が施されることを期待される。
【０００６】
したがって、シュレッダーダストの再利用を前提としたトータル的なリサイクルシステムの確立が望まれている。しかし、従来のシュレッダー課金システムや課金方法では、リサイクルを確立させるインセンティブを生み出すことはできない。
【０００７】
また、現在では、リサイクルコストの低減も重要な課題であり、ただ単にリサイクルを図るのではなく、シュレッダーダストからインクやトナーを脱色する作業負荷が異なる次工程のリサイクル作業を、効率よく行えるリサイクル形態が求められており、これの実現により、利用者にとってリーズナブルなリサイクル費用の明確化を図ることも可能となると考えられる。しかし、リサイクルを踏まえた紙の分別を行うという思想に想到できず、リサイクルを考慮した課金体系に基づくシュレッダー課金システムや課金方法は存在していないのが現状である。
【０００８】
【発明の目的】
そこで、本発明は、かかる状況下において、シュレッダーの提供サービスの枠にとらわれない、シュレッダー提供サービスとリサイクルとがあいまった新しいシュレッダー利用サービスを提供することを目的とする。
【０００９】
【課題を解決するための手段】
上記目的を達成するため、請求項１に記載の発明では、書類の搬送路、当該書類に記載された書類記載情報を取得する書類記載情報取得手段、書類の切断手段、書類の印刷状態に応じた状態区分を複数設定した状態区分データベースと当該状態区分に該当する書類の区分該当量を記憶する区分該当量記憶領域とを有する記憶手段、および各手段の動作を制御する処理手段、とを備える。
【００１０】
また、前記書類記載情報取得手段と前記切断手段とを、当該書類記載情報取得手段が前記切断手段の上流側となるように前記搬送路に設けるとともに、前記状態区分として、書類のリサイクル負荷に対応する印刷領域の面積比率により複数の状態区分が設定されており、前記切断手段により切断された書類を、前記状態区分に応じて、リサイクル負荷別に、収納する複数の切断書類収納部と、各切断書類収納部に格納された書類を圧縮する圧縮手段と、前記切断手段から当該切断書類収納部への前記搬送路を管理する搬送制御手段と、を有する。
【００１１】
そして、処理手段は、前記切断手段により前記書類を切断する前に、書類記載情報取得手段を介して取得した前記書類記載情報を前記記憶手段に格納すること、格納した当該書類記載情報に基づき、当該書類のリサイクル負荷に対応する印刷領域の面積比率を求め、求め面積比率に基づいて、前記状態区分データベースを参照して当該書類に対応する状態区分を特定すること、前記切断する書類に対応する前記区分該当量を特定すること、当該特定した状態区分と前記区分該当量とを関連付けて、書類のリサイクル負荷に対応する課金額算出のために前記記憶手段に格納すること、切断した前記書類を、当該書類の前記状態区分に応じた切断書類収納部に収納する制御情報を前記搬送制御手段に送ること、を実行する。
【００１２】
本発明によると、印刷領域の面積比率に基づく状態区分を特定し、その状態区分に応じた切断書類収納部に切断した書類を収納するので、リサイクル負荷の程度に応じたシュレッダーダストの仕分けができる。
【００１３】
また、請求項２に記載の発明では、請求項１に記載のシュレッダーにおいて、状態区分は、少なくとも、白黒印刷またはカラー印刷の別と書類の印刷領域の面積比率とに基づく。
【００１４】
本発明によると、確実に、印刷状態に起因するリサイクル負荷の変動に対応することができる。
【００１５】
また、請求項３に記載の発明では、外部システムとの通信手段、情報の記憶手段、および各手段の動作を制御する処理手段とを備え、前記外部システムは、当該書類に記載された書類記載情報を切断前に取得する書類記載情報取得手段と、書類の印刷状態に応じた状態区分を複数設定した状態区分データベースとを備えるシュレッダーを含むとともに、前記記憶手段は、前記状態区分に応じた課金調整額を設定した課金調整額データベースを有し、状態区分として、書類のリサイクル負荷に対応する印刷領域の面積比率により複数の状態区分が設定されている。
【００１６】
そして、処理手段は、前記書類記載情報取得手段を介して取得された書類記載情報に基づき前記状態区分データベースを参照して特定された状態区分と、当該状態区分に該当する書類の区分該当量とを、前記シュレッダーから前記通信手段を介して受け付け、受け付けた当該状態区分と区分該当量とを関連付けて前記記憶手段に格納すること、格納した状態区分と区分該当量とに基づき、前記課金調整額データベースを参照して、当該書類のリサイクル負荷に対応する課金額を算出し、算出した課金額を前記記憶手段に格納すること、を実行する。
【００１７】
本発明によると、書類のリサイクル負荷に対応する印刷領域の面積比率に応じた状態区分に応じて課金額を算出するので、リサイクル負荷に対応した課金額の調整ができる。
【００１８】
また、請求項４に記載の発明では、請求項３に記載のシュレッダー課金システムにおいて、状態区分は、少なくとも、白黒印刷またはカラー印刷の別と書類の印刷領域の面積比率とに基づく。
【００１９】
本発明によると、確実に、印刷状態に起因するリサイクル負荷の変動に対応することができる。
【００２０】
また、請求項５に記載の発明では、外部システムとの通信手段、情報の記憶手段、および各手段の動作を制御する処理手段とを備え、前記外部システムは、当該書類に記載された書類記載情報を切断前に取得する書類記載情報取得手段を備えるシュレッダーを含み、前記記憶手段は、書類のリサイクル負荷に対応する印刷領域の面積比率による状態区分を複数設定した状態区分データベースと当該状態区分に該当する書類の区分該当量を記憶する区分該当量記憶領域とを有する。
【００２１】
そして、前記処理手段は、前記書類記載情報取得手段が取得した書類記載情報を、前記シュレッダーから前記通信手段を介して受け付け、受け付けた書類記載情報を前記記憶手段に格納すること、格納した当該書類記載情報に基づき前記面接比率を求め、求めた面接比率に基づいて、前記状態区分データベースを参照して当該書類に対応する状態区分を特定するとともに、前記区分該当量を特定すること、当該特定した状態区分と前記区分該当量とに基づき、書類のリサイクル負荷に対応する課金額を算出し、算出した当該課金額を前記記憶手段に格納すること、を実行する。
【００２２】
本発明によると、印刷領域の面積比率による状態区分に応じて課金額を算出するので、リサイクル負荷に対応した合理的でリーズナブルな課金額を利用者に課すことができる。
【００２３】
また、請求項６に記載の発明では、請求項５に記載のシュレッダー課金システムにおいて、状態区分は、少なくとも、白黒印刷またはカラー印刷の別と書類の印刷領域の面積比率とに基づく。
【００２４】
本発明によると、確実に、印刷状態に起因するリサイクル負荷の変動に対応することができる。
【００２５】
また、請求項７に記載の発明では、請求項３乃至請求項６に記載のシュレッダー課金システムにおいて、前記処理手段は、前記シュレッダーから前記書類記載情報を受け付けるとともに、当該書類記載情報を提供した利用者に固有の認証情報を受け付けること、受け付けた認証情報と、前記特定した状態区分と前記区分該当量とを関連付け、および／または、受け付けた認証情報と、前記課金額とを関連付けて前記記憶手段に格納すること、前記認証情報に基づき、前記特定した状態区分と前記区分該当量との解析用データを、および／または、前記認証情報に基づき、前記課金額の解析用データを生成すること、を実行する。
【００２６】
本発明によると、認証情報に基づき解析用データを生成するので、利用者を確実に特定した情報を取得できる。
【００２７】
また、請求項８に記載の発明では、書類に記載された書類記載情報を取得する書類記載情報取得手段と、書類を切断する切断手段と、書類のリサイクル負荷に対応する印刷領域の面積比率に応じた状態区分を複数設定した状態区分データベースと当該状態区分に該当する書類の区分該当量を記憶する区分該当量記憶領域とを有する記憶手段と、当該記憶手段の動作を制御する処理手段と、により実現されるシュレッダー課金方法を採用する。
【００２８】
そして、当該方法は、前記書類記載情報取得手段が、前記切断手段が書類を切断する前に、当該書類の前記書類記載情報を取得するステップと、前記処理手段が、前記書類記載情報取得手段が取得した書類記載情報に基づき該書類の印刷領域の面積比率を求め、求めた面積比率に基づいて、前記状態区分データベースを参照して当該書類に対応する状態区分を特定するとともに、前記区分該当量を特定するステップと、前記処理手段が、特定した状態区分と区分該当量とに基づき、書類のリサイクル負荷に対応する課金額を算出し、算出した当該課金額を前記記憶手段に格納するステップと、を含む。
【００２９】
本発明によると、書類の印刷領域の面積比率に応じた状態区分に応じて課金額を算出するので、リサイクル負荷に対応した合理的でリーズナブルな課金額を利用者に課すことができる。
【００３０】
また、請求項９に記載の発明は、請求項８に記載のシュレッダー課金方法において、状態区分は、少なくとも、白黒印刷またはカラー印刷の別と書類の印刷領域の面積比率とに基づく。
【００３１】
本発明によると、確実に、書類の印刷領域の面積比率に応じた印刷状態に起因するリサイクル負荷の変動に対応することができる。
【００３２】
以上により、前述した目的を達成しようとするものである。
【００３３】
【発明の実施の形態】
〔第１実施形態〕
【００３４】
以下、本発明の第１の実施形態を図１乃至図５に基づいて説明する。本実施形態では、切断された書類（シュレッダーダスト）を再生紙用の原材料として、シュレッダー１０の利用者が提供し、その対価を、シュレッダーの利用に対する課金から差し引くビジネス形態を実現する。
【００３５】
図１は、本実施形態にかかるシュレッダー課金システムが接続されたネットワーク全体を示す全体ブロック図である。図１に示したように、シュレッダー１０、シュレッダー課金システム３０、および情報端末４０がネットワーク１を介して接続されている。
【００３６】
本実施形態におけるネットワーク１は、インターネットを想定しており、さらにこのネットワーク１には電話回線網などのネットワーク２を介してモバイルＰＣ３や携帯電話４などの情報携帯端末が接続可能である。ただし、ネットワーク１の形態は、特にインターネットに限られるものではなく、専用回線を用いたネットワークなどであってもよいし、多形態のネットワークを組み合わせた複合ネットワークであってもよい。
【００３７】
また、図１において、シュレッダー１０、シュレッダー課金システム３０、および情報端末４０を各一つづつ記載しているが、特にその数に限られるものではなく、複数接続されたシュレッダー１０をシュレッダー課金システム３０が統括管理するなど、それぞれが複数設けられた構成であってもよい。
【００３８】
以下、相互にネットワーク接続されたシュレッダー１０、シュレッダー課金システム３０、および情報端末４０について、各々説明する。
【００３９】
最初に、シュレッダー１０を説明する。シュレッダー１０は、情報の記憶手段１１、外部装置との通信手段１２、および各手段の動作を制御する処理手段１３を備える。また、シュレッダー１０は、さらに書類記載情報取得手段１４を有する。
【００４０】
記憶手段１１は、例えばＲＡＭ、ＲＯＭ、ＨＤＤ等のデータを格納することができる記憶媒体を備えるものである。ただし、特定の一の媒体に限られるものではなく、複数の記憶媒体を組み合わせた構成であってもよい。また、記憶手段１１は、シュレッダー１０のグレードや設置場所などを考慮した、シュレッダー１０に固有のシュレッダー識別情報を、所定の領域に備える。このシュレッダー識別情報は、シュレッダー課金システム３０が複数のシュレッダー１０を統括管理する場合などに用いられる。
【００４１】
そして、記憶手段１１は、書類記載情報記憶領域１１ａと、書類の印刷状態に応じた状態区分を複数設定した状態区分データベース（状態区分ＤＢ）１１ｂと、状態区分に該当する書類の区分該当量を記憶する区分該当量記憶領域１１ｃとを、それぞれ所定の記憶領域に有する。なお、書類記載情報記憶領域１１ａと状態区分データベース１１ｂと区分該当量記憶領域１１ｃとは、図１に示したように一の記憶手段１１に格納される形態に限られるものではなく、記憶手段１１が複数の媒体から構成される場合には、分散配置されるなど、必要に応じてその格納形態を変更してよいことは言うまでもない。
【００４２】
ここで、書類記載情報記憶領域１１ａは、切断前の書類に記載されていた書類記載情報を格納する領域である。書類記載情報は、シュレッダー１０の書類記載情報取得手段１４が取得した情報そのままに限られず、当該取得した情報に基づいて再生成・加工されたものであってもよい。具体的には、画像情報形式（画像フォーマット）に限られるものではなく、文書情報形式（閲覧用フォーマット）で格納されてもよい。
【００４３】
状態区分データベース１１ｂは、切断される書類の印刷状態に応じた状態区分を定めたデータベースである。状態区分は、少なくとも、白黒印刷またはカラー印刷の別、または書類の印刷領域の面積比率の、いずれか一方に基づくものであればよい。図２に、本実施形態にかかる状態区分データベース１１ｂのデータ構造図の一例を示す。
【００４４】
図２に示したように、状態区分データベース１１ｂは、各々の区分Ｃ１，Ｃ２，Ｃ３，Ｃ４，ＢＷ１，ＢＷ２，ＢＷ３，ＢＷ４に該当する書類の別を規定する。ここで、区分コードとは、書類の印刷状態に応じた区分を表す記号であり、印刷種別とは、例えばカラー印刷や白黒印刷など、印刷に使用されるインクやトナーなどの種類または組合せに応じた印刷形態を表し、面積比率とは、書類の印刷が施された面の総面積を分母とし、実際に印刷がなされた領域の面積を分子として算出した比率をいう。
【００４５】
具体的には、本実施形態では、白黒印刷またはカラー印刷の別により区分し、さらに、書類の印刷領域の面積比率で細分する。白黒印刷であって、印刷領域が２５％以下、５０％以下、７５％以下、１００％以下に該当する区分コードＢＷ１，ＢＷ２，ＢＷ３，ＢＷ４の４グループと、カラー印刷であって、印刷領域が２５％以下、５０％以下、７５％以下、１００％以下に該当する区分コードＣ１，Ｃ２，Ｃ３，Ｃ４の４グループの計８グループに分別する。この区分けは、インクやトナーの脱色や漂白などのリサイクル処理の手間を考慮したものであり、この区分けを細分化することにより、シュレッダーダストを処理する手間の多寡に応じた分別収納を可能とする。
【００４６】
なお、状態区分の区分数やその境界の設定基準は、上記８パターンに限られるものではなく、状態区分は、少なくとも、白黒印刷またはカラー印刷の別、または書類の印刷領域の面積比率の、いずれか一方に基づくものであればよい。例えば、シュレッダーダストのリサイクル処理に応じたものであれば、カラー印刷（インク又はトナー５種）、モノカラー印刷（インク又はトナー２種）、白黒印刷（インク又はトナー１種）のように区分けしてもよい。また、印刷の面積比率を１０％刻みの細かな分類としてもよい。
【００４７】
ただし、面積比率は、基準となる用紙単位で、その用紙に使用されているインク又はトナーの量を概算的に取得するための目安であり、原則的な基準である。したがって、両面印刷のような特殊な印刷形態では、面積比率を元に、単位用紙あたりに使用されたインク又はトナーの量を算定する。具体的には、表面が２５％、裏面が５０％であれば、面積比率を７５％として取り扱う。
【００４８】
続いて、区分該当量記憶領域１１ｃは、上述した状態区分データベース１１ｂに設定された状態区分に該当する書類の区分該当量を記憶する記憶領域である。ここで、区分該当量とは、各状態区分に該当する書類の量をいい、用紙サイズと数量とをパラメータに有するものである。したがって、所定の基準用紙サイズを設定し、切断する書類の用紙サイズをその基準用紙サイズに換算した場合の量を区分該当量としてもよいし、換算しないで直接的に用紙サイズと数量を関連付けた量的パラメータとしてもよい。換算しない場合の例としては、Ａ３サイズ１枚、Ｂ４サイズ１枚というカウントの仕方が挙げられる。
【００４９】
本実施形態では、区分該当量を、所定の基準用紙サイズに相当する数量に換算した数値（換算数量）とする。具体的には、基準用紙サイズをＡ４とし、シュレディングする用紙がＡ４サイズなら数量を１、Ａ３サイズなら数量を２、Ｂ４サイズなら数量を１．５とする。ただし、Ａ４の両面印刷などの場合でも、用紙は１枚であるので、区分該当量は１とされる。なお、基準用紙サイズはＡ４に限られるものではなく、シュレッダー利用に対する課金体系に応じて定めればよい。
例えば、Ｂ５サイズを基準としてもよい。
【００５０】
続いて、図１に示した通信手段１２は、シュレッダー課金システム３０などの外部装置との間で情報の送受信を行う手段であり、例えば、データ送受信機能を備えたルータなどの通信機器に対し、情報の授受を行うインターフェースをいう。
【００５１】
処理手段１３は、例えばＣＰＵ等の演算処理装置を含むものであり、前述した書類記載情報記憶領域１１ａなど、記憶手段１１の所定の領域に対するデータの記憶（格納）処理や読み出し（取得）処理、通信手段１２に対するデータの送信（受け渡し）処理や取得（受け付け）処理など、各種処理を実現する。処理に際しては、記憶手段１１の所定の領域に格納された処理手順にしたがう。なお、処理手順は、プログラムなどのかたちで処理手段１３に対して提供される。また、これらの処理は、例えば、単一のＣＰＵにより実行されるものであってもよいし、複数のＣＰＵによる分散処理がなされるものであってもよい。
【００５２】
書類記載情報取得手段１４は、シュレッダー１０により切断される書類に記載された情報を、当該書類から取得する手段であり、例えば、光学式スキャナなどが挙げられる。なお、「切断」の形態は、麺類のように細長く細断するものに限られず、細い幅の短冊状に切断するものや、微細片（パーティクル）状に切断するものなどを含む。
【００５３】
なお、上述した記憶手段１１、通信手段１２、および処理手段１３は、情報処理部を構成するが、この情報処理部は、図１に示したように、シュレッダー１０に対して一体的に設けられていてもよいし、シュレッダー本体と別体として独立的に設けられ相互接続されている構成であってもよい。
【００５４】
次に、シュレッダー課金システム３０を説明する。シュレッダー課金システム３０は、情報の記憶手段３１、外部システムとの通信手段３２、および各手段の動作を制御する処理手段３３を有する。
【００５５】
記憶手段３１は、例えばＲＡＭ、ＲＯＭ、ＨＤＤ等のデータを格納することができる記憶媒体を備えるものである。ただし、特定の一の媒体に限られるものではなく、複数の記憶媒体を組み合わせた構成であってもよい。
【００５６】
そして、本実施形態において、記憶手段３１は、前述した状態区分に応じた課金調整額を設定した課金調整額データベース（課金調整額ＤＢ）３１ａを有する。なお、課金調整額データベース３１ａは、図１に示したように一の記憶手段３１に格納される形態に限られるものではなく、記憶手段３１が複数の媒体から構成される場合には、分散配置されるなど、必要に応じてその格納形態を変更してよいことは言うまでもない。
【００５７】
ここで、課金調整額データベース３１ａは、シュレッダー１０が備える状態区分データベース１１ｂの状態区分に応じた課金調整額を設定したデータベースである。図３に課金調整額データベース３１ａのデータ構造図の一例を示す。
【００５８】
図３に示したように、課金調整額データベース３１ａは、図２に示した状態区分データベース１１ｂの状態区分に対応するように、区分コード毎の課金調整額を規定する。
【００５９】
そして、前述したように、シュレッダーダストを再生紙用の原材料として、シュレッダー１０の利用者が提供するシステムを採用していることから、課金調整額データベース３１ａは、調整額を課金からの値引額として課金調整額を設定する。また、区分該当数量を換算数量としているので、課金調整額は単位換算数量あたりの額としている。ゆえに、区分該当数が、前述した用紙サイズと数量の量的パラメータである場合には、用紙サイズ毎の単価等を設定する構成とするか、もしくは事前に区分該当量を換算する処理を行うことになる。
【００６０】
本実施形態においては、基準用紙サイズ単位の状態区分コードに応じた課金調整額を設定する。リサイクルにかかる費用は、一般に、脱色や漂白の工程に支配され、インクやトナーの種類が多くなればより高くなり、また、印刷領域が多くなればより高くなる。このため、本実施形態の状態区分でいうと、白黒印刷で面積比率２５％以下の区分ＢＷ１が一番リサイクル費用が少なく、カラー印刷で面積比率１００％以下の区分Ｃ４が一番リサイクル費用が多い。したがって、シュレッダーダストを再生紙の原材料として販売したとき、リサイクル費用が考慮されるので、販売価格が最も高くなるのはＢＷ１であり、最も安くなるのはＣ４である。ゆえに、課金調整額として課金額から差し引かれることになる金額は、区分ＢＷ１が最も多く、区分Ｃ４が最も少ないものとなる。
【００６１】
なお、設定される調整額は、上述した円など通貨単位に限られるものではなく、割引率などのパーセンテージ（百分率）であってもよいし、独自のポイントシステムなどに基づく場合には、そのポイント単位としてもよい。
【００６２】
そして、図１に示した通信手段３２は、外部システムとの間で情報の送受信を行う手段であり、例えば、データ送受信機能を備えたルータなどの通信機器に対し、情報の授受を行うインターフェースをいう。ここで、外部システムとは、シュレッダー課金システム３０が通信手段３２を介して接続し得るシステムをいい、例えば、シュレッダー１０が接続されたＬＡＮ（Local Area Network）システムなどの他、シュレッダー１０のみからなるシステム、情報端末４０、もしくは、モバイルＰＣ３や携帯電話４などが公衆回線網２により相互に接続可能とされる通信回線網（情報ネットワーク）などが挙げられる。
【００６３】
また、処理手段３３は、例えばＣＰＵ等の演算処理装置を含むものであり、記憶手段３１の所定の領域に対するデータの記憶（格納）処理や読み出し（取得）処理を実現する。
【００６４】
さらに、処理手段３３は、記憶手段３１に対する処理だけでなく、通信手段３２に対するデータの送信（受け渡し）処理や取得（受け付け）処理など、各種処理を実現する。処理に際しては、記憶手段３１の所定の領域に格納された処理手順にしたがう。なお、処理手順は、プログラムなどのかたちで処理手段３３に対して提供される。また、これらの処理は、例えば単一のＣＰＵにより実行されるものであってもよいし、複数のＣＰＵによる分散処理がなされるものであってもよい。
【００６５】
続いて、情報端末４０を説明する。情報端末４０は、情報の記憶手段４１、外部装置との通信手段４２、および各手段の動作を制御する処理手段４３を有する。そして、情報端末４０は、さらに表示手段４４と、入力手段４５とを備える。
【００６６】
ここで、記憶手段４１は、例えばＲＡＭ、ＲＯＭ、ＨＤＤ等のデータを格納することができる記憶媒体を備えるものであり、情報端末４０に固有の端末側記憶手段として機能する。ただし、特定の一の媒体に限られるものではなく、複数の記憶媒体を組み合わせた構成であってもよい。
【００６７】
通信手段４２は、シュレッダー課金システム３０などの外部装置との間で情報の送受信を行う手段であり、例えば、データ送受信機能を備えたターミナルアダプタなどの通信機器に対し、情報の授受を行うインターフェースをいう。
【００６８】
処理手段４３は、例えばＣＰＵ等の演算処理装置を含むものであり、前述した記憶手段４１に対するデータの記憶（格納）処理や読み出し（取得）処理、通信手段４２に対するデータの送信（受け渡し）処理や取得（受け付け）処理など、各種処理を実現する。処理に際しては、記憶手段４１の所定の領域に格納された処理手順にしたがう。なお、処理手順は、プログラムなどのかたちで処理手段４３に対して提供される。また、これらの処理は、例えば単一のＣＰＵにより実行されるものであってもよいし、複数のＣＰＵによる分散処理がなされるものであってもよい。
【００６９】
表示手段４４は、例えば、ディスプレイなどの情報端末４０に接続される表示機器であり、表示手段４４の画面表示の制御は処理手段４３の管理下において行われる。
【００７０】
入力手段４５は、例えば、マウスやポインティングデバイス、キーボードなどの情報入力機器であり、入力される情報の受付は処理手段４３の管理下において行われる。
【００７１】
以下、シュレッダー１０について図１および図４に基づき詳述する。図４は、シュレッダー１０の概略構成図である。図４において、図１と同一の構成部分については、同一の符号を付している。重複する構成部分については、その説明を省略する。
【００７２】
図１および図４に示したように、シュレッダー１０は、切断される書類の搬送路２０，２３，２７、当該書類に記載された書類記載情報を取得する書類記載情報取得手段１４、書類の切断手段２１、書類の印刷状態に応じた状態区分を複数設定した状態区分データベース１１ｂと当該状態区分に該当する書類の区分該当量を記憶する区分該当量記憶領域１１ｃとを有する記憶手段１１、外部装置との通信手段１２、および各手段の動作を制御する処理手段１３、とを備える。
【００７３】
ここで、シュレッダー１０において、書類記載情報取得手段１４と切断手段２１とを搬送路２０に設ける構成とするが、書類記載情報取得手段１４が切断手段２１の上流側となるように搬送路２０に設ける。また、シュレッダー１０は、印刷状態に応じた切断書類収納部２８と、切断手段２１から切断書類収納部２８への搬送路２７を管理する搬送制御手段２６を有する。
【００７４】
より詳細には、ストッカー１８は、切断する書類を保持する手段である。ストッカー１８内の書類は差込口１９を介して書類搬送路２０へ移動する。搬送用小型ローラ２２は、書類搬送路２０において書類を移動させる手段である。そして、書類搬送路２０は、差込口１９と切断手段２１とを結ぶ搬送路である。この書類搬送路２０において、切断手段２１の上流側に書類記載情報取得手段１４を設ける構成とすることにより、切断前の書類からの書類記載情報の取得を実現する。なお、図４においては、説明の容易のため、書類搬送路２０を簡略化して示したが、本実施形態では、不図示の書類反転手段により、書類記載情報取得手段１４が切断する書類の両面から書類記載情報を取得することが可能な構成を採用している。
【００７５】
切断手段２１は、搬送用小型ローラ２２およびカッター２１ａなどから構成され、書類を所定の形状に細断することにより、機密を保持しながら書類の廃棄を可能とする。切断ダスト搬送路（切断書類搬送路）２３は、切断手段２１により切断されダストとなった書類（以下、切断ダストと称する）を、圧縮手段２５に搬送する搬送路であり、この切断ダスト搬送路２３は、搬送用大型ローラ２４により駆動される。圧縮手段２５は、切断ダストを圧縮するものであり、この圧縮により切断ダストの体積をより小さくすることができ、ひいては切断ダストを保管するスペースを有効に活用できる。
【００７６】
圧縮ダスト搬送路２７は、圧縮手段２５により圧縮された切断ダスト（以下、圧縮ダストと称する）を切断書類収納部２８に搬送するための搬送路である。そして、本実施形態では、図４に示したように、切断書類収納部２８は、切断される書類の印刷状態に応じて複数の切断書類収納部２８ａ，２８ｂ，２８ｃ，２８ｄ，２８ｅ，２８ｆ，２８ｇ，２８ｈを備える。
【００７７】
ここで、切断書類収納部２８における分別収納は、前述した状態区分データベース１１ｂにおいて設定した状態区分データベースの区分にしたがう。具体的には、カラー印刷か、白黒印刷かにより大別し、さらに、各々の書類の印刷領域について、印刷領域が書類の総面積に対して２５％以下、２６％以上５０％以下、５１％以上７５％以下、７６％以上１００％以下というように小別している。結果として、合計８種類の収納区分を設定し、それに応じたかたちで、切断書類収納部２８ａ，２８ｂ，２８ｃ，２８ｄ，２８ｅ，２８ｆ，２８ｇ，２８ｈを設けている。
【００７８】
そして、センサー２９ａ，２９ｂ，２９ｃ，２９ｄ，２９ｅ，２９ｆ，２９ｇ，２９ｈは、切断書類収納部２８ａ，２８ｂ，２８ｃ，２８ｄ，２８ｅ，２８ｆ，２８ｇ，２８ｈのそれぞれに設けられたセンサーであり、収納部内の圧縮ダストが所定の量になったことを検知するとともに検知信号を生成し、処理手段１３に対して、生成した検知信号を送信する。ここで、このセンサー群は、所定の量として各収納部のいわゆるオーバーフローを検知するセンサーと兼用されるものであってもよい。
【００７９】
また、搬送制御手段２６は、切断した書類を、切断前の書類の印刷状態に応じた各切断書類収納部２８ａ，２８ｂ，２８ｃ，２８ｄ，２８ｅ，２８ｆ，２８ｇ，２８ｈに対して確実に収納するように、圧縮された切断ダストの搬送を制御する。なお、図４において、搬送制御手段２６から切断書類収納部２８ａへ圧縮ダストを搬送する圧縮ダスト搬送路２７のみが記載されているが、本実施形態においては、各切断書類収納部２８ｂ，２８ｃ，２８ｄ，２８ｅ，２８ｆ，２８ｇ，２８ｈに応じた、長さの異なる複数の圧縮ダスト搬送路を紙面鉛直方向に並んだ状態で備えるものである。
【００８０】
図５（ａ）に、搬送制御手段２６の一例を示す。図５（ａ）において、搬送制御手段２６は、圧縮手段２５により圧縮された圧縮ダストが、投入口２６１に投入される。そして、搬送制御手段２６は、処理手段１３からの制御命令にしたがい、振り分け手段２６２が図５（ａ）に示したように回動することにより、上述した各切断書類収納部２８ａ，２８ｂ，２８ｃ，２８ｄ，２８ｅ，２８ｆ，２８ｇ，２８ｈに通じる圧縮ダスト搬送路に応じた連通路２６３ａ、２６３ｂ、２６３ｃ、２６３ｄ、２６３ｅ、２６３ｆ、２６３ｇ、２６３ｈに振り分ける処理を行う。
【００８１】
ただし、搬送制御手段２６の構成は、上述の形態に限られるものではない。他の搬送制御手段２６の例を、図５（ｂ）に示す。図５（ｂ）に示したように、すべての切断書類収納部２８ａ，２８ｂ，２８ｃ，２８ｄ，２８ｅ，２８ｆ，２８ｇ，２８ｈにわたる圧縮ダスト搬送路２７を設け、さらに、圧縮ダスト搬送路を斜めに横断することができる長さのガイドプレート２６４を各切断書類収納部毎に設ける。この複数のガイドプレート２６４を、処理手段１３の管理下において作動させることにより搬送制御手段２６を構成する。
【００８２】
ここで、ガイドプレート２６４は、通常状態では、圧縮ダスト搬送路の進行方向に沿うように並行に配される。そして、処理手段１３からの命令にしたがい、圧縮ダストを収納させたい切断書類収納部に対応するガイドプレート２６４のみを回動させ、目的の切断書類収納部に圧縮ダストを導く。この場合の搬送制御手段２６は、圧縮ダストが所定の硬さを備えるように圧縮されているという特質を利用して、処理手段１３から送られる制御情報にしたがい、圧縮ダストが運ばれてくる際に、該当する切断書類収納部が備えるガイドプレートのみが圧縮ダスト搬送路に対して斜めに展開して、圧縮ダストをその切断書類収納部に導き入れるという制御を行うものである。
【００８３】
また、図５（ｂ）に示したように、ガイドプレート２６４を互い違いに配することにより、隣接するガイドプレート２６４がゲート（門）の役割を果たし、圧縮ダストの誤誘導を防止している。図５（ｂ）に示した構成からなる搬送制御手段２６を採用しても、上述した選択的に圧縮ダストを該当する切断書類収納部に格納することができる構成を実現できる。
【００８４】
なお、図４に示した情報表示部１５は、処理手段１３の制御下において、切断した書類がどの状態区分に該当するかなどの情報を表示する手段である。本実施形態では、キーボードなどの入力手段とともに、液晶などの表示手段と一体的に構成された表示パネルを想定している。この情報表示部１５は、処理手段１３の制御下のもと、必要に応じてシュレッダー１０の利用者から利用者を識別するＩＤ番号などの利用者識別情報を取得する。
【００８５】
以下、本発明の動作について、図６乃至図７に基づき説明する。
【００８６】
図６は、シュレッダー１０における書類の区分判定処理およびシュレッダーダストの振り分け処理を示すフローチャートである。図６に示したように、シュレッダー１０の処理手段１３は、切断手段２１により書類を切断する前に、書類記載情報取得手段１４を介して取得した書類記載情報を記憶手段１１に格納すること（Ｓ１）、格納した書類記載情報に基づき、状態区分データベース１１ｂを参照してその書類に対応する状態区分を特定すること（Ｓ２）、切断する書類に対応する区分該当量を特定すること（Ｓ２）、特定した状態区分と区分該当量とを関連付けて、課金額算出のために記憶手段１１に格納すること（Ｓ３）、切断した書類を、その書類の状態区分に応じた切断書類収納部２８に収納する制御情報を搬送制御手段２６に送ること（Ｓ４）、を実行する。
【００８７】
より詳細には、処理手段１３は、切断手段２１が書類を切断する前に、書類記載情報取得手段１４を介して、切断しようとする書類に記載された書類記載情報を取得し、取得した書類記載情報をデジタル画像情報として書類記載情報記憶領域１１ａに格納する（Ｓ１）。
【００８８】
続いて、処理手段１３は、書類記載情報記憶領域１１ａに格納した書類記載情報を読み出し、読み出した書類記載情報に基づき、白黒印刷またはカラー印刷の別を判断する。また、取得した書類記載情報からレイアウト情報などを割り出し、印刷対象面積の比率を測定結果に基づき特定する。そして、白黒印刷であるかカラー印刷であるかの別と、面積比率とに基づき、状態区分データベース１１ｂの状態区分データベースを参照し、書類の状態区分を特定する（Ｓ２）。
【００８９】
また、書類記載情報から、読み込んだ書類画像の輪郭をしきい値処理などにより確定し、書類の用紙サイズを特定する。そして、特定した用紙サイズに基づき、切断する書類に対応する区分該当量を特定する（Ｓ２）。ただし、用紙サイズの特定は、書類記載情報に基づく手法に限られるものではなく、切断される書類の搬送路などに設けられた光センサなどにより切断される書類の用紙サイズを検知する手法を用いてもよい。
【００９０】
続いて、処理手段１３は、特定した状態区分と区分該当量とを関連付けて、課金額算出のために記憶手段１１の所定の領域に格納する（Ｓ３）。
【００９１】
そして、処理手段１３は、特定した状態区分に基づき、切断する書類、または切断した書類を切断書類収納部２８ａ，２８ｂ，２８ｃ，２８ｄ，２８ｅ，２８ｆ，２８ｇ，２８ｈのいずれに収納すべきかを決定し、その書類の状態区分に応じた切断書類収納部にシュレッダーダストを収納するように制御情報を搬送制御手段２６に送信する（Ｓ４）。
【００９２】
例えば、搬送制御手段２６が図５（ａ）に示す構造であれば、振り分け手段２６２を所定の角度になるように回動させる制御情報を、搬送制御手段２６に送信する。また、図５（ｂ）に示すような搬送制御手段２６を用いた場合には、所定のガイドプレートを回動させ、搬送路２７を斜めに横切るように制御情報を送信する。このように、処理手段１３が、書類の印刷状態に応じた切断書類収納部２８に収納する制御情報を搬送制御手段２６に送る（Ｓ４）ことにより、区分判定処理および振り分け処理が完了する。
【００９３】
以上説明したように、状態区分を特定し、その状態区分に応じた切断書類収納部に切断した書類を収納するので、リサイクル負荷の程度に応じたシュレッダーダストの仕分けができる。これにより、印刷面積の大きさによるリサイクル作業負荷が異なるなどの問題を解消し、リサイクル作業の効率化、リサイクル費用の低減などの効果を得られる。
【００９４】
また、白黒印刷に比べカラー印刷は、カラートナーの脱色が煩雑なため、リサイクル作業負荷が多くなるので、切断した書類を白黒印刷とカラー印刷とに分別して収納することにより、大幅なリサイクル費用の低減が図れる。
【００９５】
本実施形態では、課金額の算出をシュレッダー課金システム３０側で行うため、上述した処理を受けて、シュレッダー課金システム３０側で課金調整処理が行われる。
【００９６】
図７は、シュレッダー課金システム３０における課金調整処理を示すフローチャートである。図７に示したように、シュレッダー課金システム３０の処理手段３３は、書類記載情報取得手段１４を介して取得された書類記載情報に基づき状態区分データベース１１ｂを参照して特定された状態区分と、当該状態区分に該当する書類の区分該当量とを、シュレッダー１０から通信手段３２を介して受け付け、受け付けた当該状態区分と区分該当量とを関連付けて記憶手段３１に格納すること（Ｓ１２）、格納した状態区分と区分該当量とに基づき、課金調整額データベース３１ａを参照して課金額を算出し、算出した課金額を記憶手段３１に格納すること（Ｓ１３）、を実行する。
【００９７】
より詳細には、シュレッダー１０の処理手段１３は、記憶手段１１の所定の領域に関連付けて格納した、状態区分とその状態区分に該当する区分該当量とを記憶手段１１から読み出し、通信手段１２を介してシュレッダー課金システム３０へ送信する（Ｓ１１）。このとき、処理手段１３は、シュレッダー課金システム３０における情報処理の便宜のため、必要に応じて送信する情報に関連付けてシュレッダー１０の識別情報もしくはシュレッダー１０を利用した利用者の識別情報を送信する。
【００９８】
このシュレッダー１０からの送信は、前述したように、ネットワーク１を介して行われるが、その送信のタイミングは、シュレッダー１０が状態区分や区分該当量を特定した毎に送信するリアルタイム送信であってもよいし、一時間や半日、または１日など、所定の時間間隔または定刻に、まとめて送信する方式を採用してもよい。
【００９９】
このシュレッダー１０からの送信を受けて、シュレッダー課金システム３０の処理手段３３は、特定された状態区分と、当該状態区分に該当する書類の区分該当量とを、シュレッダー１０から通信手段３２を介して受け付け、受け付けた当該状態区分と区分該当量とを関連付けて記憶手段３１の所定の領域に格納する（Ｓ１２）。なお、前述したシュレッダー１０の識別情報もしくはシュレッダー１０を利用した利用者の識別情報をあわせて受け付けた場合には、受け付けた当該状態区分等と関連付けて、記憶手段３１の所定の領域に格納する。
【０１００】
そして、処理手段３３は、記憶手段３１の所定の領域に格納した状態区分と区分該当量とを読み出し、読み出した状態区分と区分該当量とに基づき、課金調整額データベース３１ａを参照して課金額を算出し、算出した課金額を記憶手段３１に格納する（Ｓ１３）。このように、複数の状態区分を設け、その状態区分に応じて課金額を調整するので、確実に、印刷状態に起因するリサイクル負荷の変動に対応することができる。
【０１０１】
ここで、課金額の算出のタイミングは、原則としてシュレッダー１０からの状態区分および区分該当量の送信タイミングに応じたものとするが、これに限られるものではなく、月の特定の日（締め日）に行うようにしてもよいし、締め日に加えて、後述する利用者からの問い合わせ（閲覧要求）の際に算出する方式を採用してもよい。
【０１０２】
また、本実施形態においては、シュレッダーの利用に対する課金は、基準用紙サイズ一枚あたり定額を課金する従量制を採用するため、前述した区分該当量に基づき、基本となるシュレッダー利用に対する課金額を算出することができる。ここで、シュレッダーの利用に対する課金は、シュレッダーの価格、電気もしくは通信料金などの運用費、摩耗交換部品や点検サービスにかかる人件費などを考慮した保守料金を踏まえ、耐久切断枚数をあわせて総合的に設定される。ここで、課金に際しては、契約内容に応じて前述したシュレッダーもしくは利用者の識別情報を関連付けるなどの処理を用いて、課金額または課金調整額を管理することが好適である。
【０１０３】
なお、利用者に対する課金額の算出方法は、原則となる課金額の総額を算出した後、課金調整額データベース３１を参照して、状態区分および区分該当量に基づき各状態区分毎の課金調整額を合計して原材料販売額（シュレッダーダストを再生紙の原材料として販売した総額）を算出し、原則となる課金額から差し引く方法を採用してもよいし、各状態区分毎に従量制の課金単価から課金調整額を差し引いた状態区分毎の調整単価を算出し、その算出した調整単価に区分該当量を積算処理して課金額を算出する方法を採用してもよい。
【０１０４】
また、上述したように、シュレッダー１０の処理手段１３と、シュレッダー課金システム３０の処理手段３３とが、複数の処理手段を用いた分散処理システム的に動作することにより、書類に記載された書類記載情報を取得する書類記載情報取得手段１４と、書類を切断する切断手段２１と、書類の印刷状態に応じた状態区分を複数設定した状態区分データベース１１ｂと当該状態区分に該当する書類の区分該当量を記憶する区分該当量記憶領域１１ｃとを有する記憶手段１１と、当該記憶手段の動作を制御する処理手段１３と、により実現されるシュレッダー課金方法として、書類記載情報取得手段１４が、切断手段２１が書類を切断する前に、書類の書類記載情報を取得するステップと、処理手段１３が、書類記載情報取得手段１４が取得した書類記載情報に基づき状態区分データベース１１ｂを参照して書類に対応する状態区分を特定するとともに、区分該当量を特定するステップと、処理手段３３が、特定した状態区分と区分該当量とに基づき課金額を算出し、算出した当該課金額を前記記憶手段に格納するステップと、を含む課金方法を実現する。
【０１０５】
本実施形態は、以上のように構成され、機能するので、状態区分を特定し、その状態区分に応じた切断書類収納部に切断した書類を収納することができ、リサイクル負荷の程度に応じたシュレッダーダストの仕分けができる。また、状態区分に応じて課金額を算出するので、リサイクル負荷に対応した課金額の調整ができる。
【０１０６】
そして、書類の状態区分に応じた処理を可能とすることにより、シュレッダーダストの再利用を実現し、かつ、リサイクルコストを状態区分に応じた適切なレベルにまで低減できる。
【０１０７】
また、利用者が再生紙の原料となるシュレッダーダストを所定の分別をした上で提供することができ、リーズナブルであるとともに、リサイクルを考慮した課金体系に基づく、シュレッダー提供サービスとリサイクルとがあいまった新しいシュレッダー利用サービスを提供することができる。
【０１０８】
また、本実施形態においては、情報端末４０や、公衆回線２を介したモバイルＰＣ３やインターネット対応携帯電話４などから、課金額を参照可能なシステムを採用している。
【０１０９】
課金額参照の際の処理を、情報端末４０を例に説明する。まず、情報端末４０の処理手段４３は、入力手段４５から利用者番号など利用者を識別する利用者識別情報とともに、課金額の閲覧要求を受け付け、記憶手段４１の所定の領域に格納する。そして、処理手段４３は、格納した利用者識別情報と閲覧要求とを、通信手段４２を介してシュレッダー課金システム３０へ送信する。
【０１１０】
この送信を受けたシュレッダー課金システム３０の処理手段３３は、所定の認証処理の後、利用者識別情報と関連付けて記憶手段３１に格納しておいた課金額を読み出し、読み出した課金額を記憶手段３１の所定の領域に格納する。そして、処理手段３３は、情報端末４０の表示手段４４における画面表示を制御する表示制御情報とともに格納した課金額を通信手段３２を介して情報端末４０へ送信する。
【０１１１】
この送信を受けた情報端末４０の処理手段４３は、通信手段４２を介して表示制御情報と課金額とを受け付け、表示手段４４に課金額を表示する。これにより、課金額の閲覧処理が完了する。
【０１１２】
〔第２実施形態〕
【０１１３】
本発明にかかる第２実施形態を図８および図９に基づき説明する。
【０１１４】
図８は、本実施形態にかかるシュレッダー５０およびシュレッダー課金システム６０が接続されたネットワークの全体を示すブロック図である。図８において、前述した第１実施形態と同一の構成部分については、同一の符号を付して重複説明を省略する。
【０１１５】
図８に示したように、本実施形態では、第１実施形態と異なり、シュレッダー５０の記憶手段１６が、書類記載情報記憶領域１１ａのみを備え、シュレッダー課金システム６０の記憶手段３４が、課金調整額データベース３１ａに加え、状態区分データベース１１ｂと区分該当量記憶領域１１ｃとを所定の領域に備える構成を採用する。なお、シュレッダー５０の概略構成は、本実施形態においても、図４に示した構成と同様の構成を採用する。
【０１１６】
ここで、記憶手段１６および記憶手段３４は、例えばＲＡＭ、ＲＯＭ、ＨＤＤ等のデータを格納することができる記憶媒体を備えるものであり、特定の一の媒体に限られるものではなく、複数の記憶媒体を組み合わせた構成であってもよい。
【０１１７】
なお、本実施形態における切断する書類の状態区分に応じた切断書類収納部２８への収納は、前述した第１実施形態と同様に行ってもよいし、情報表示部１５を介した切断書類収納部２８の特定を受け付ける構成としてもよい（図４参照）。
【０１１８】
本実施形態におけるネットワーク全体での動作を図９に基づき説明する。図９は、本実施形態にかかる課金処理を示すフローチャートである。
【０１１９】
図９に示したように、まず、シュレッダー５０の処理手段１３は、記憶手段１６の書類記載情報記憶領域１１ａから書類記載情報取得手段１４が取得した書類記載情報を読み出し、読み出した書類記載情報をシュレッダー課金システム６０へ通信手段１２を介して送信する（Ｓ２１）。
【０１２０】
そして、シュレッダー課金システム６０の処理手段３３は、書類記載情報取得手段１４が取得した書類記載情報を、シュレッダー５０から通信手段３２を介して受け付け、受け付けた書類記載情報を記憶手段３４の所定の領域に格納する（Ｓ２２）。続いて、処理手段３３は、格納した書類記載情報に基づき記憶手段３４の状態区分データベース１１ｂを参照して当該書類に対応する状態区分を特定する（Ｓ２３）。
【０１２１】
また、処理手段３３は、書類記載情報に対応する区分該当量を特定する（Ｓ２３）。ただし、この区分該当量の特定は、シュレッダー５０から受け付けた書類記載情報に基づき、用紙サイズを判定して特定する方法に限られず、シュレッダー５０から送信された用紙サイズ情報を用いて書類記載情報の区分該当量を算出してもよい。
【０１２２】
この後、処理手段３３は、特定した状態区分と区分該当量とを記憶手段３４の所定の領域に格納し（Ｓ２４）、所定のタイミングで、記憶手段３４の所定の領域に格納した、特定した状態区分と区分該当量とに基づき課金額を算出し、算出した当該課金額を記憶手段３４の所定の領域に格納する（Ｓ２５）。なお、本実施形態においても、課金額の算出の方法として、前述した第１の実施形態と同様の方法を採用する。また、必要に応じてシュレッダー５０の識別情報またはシュレッダー５０の利用者の識別情報を用いて個別の課金額や課金調整額を管理する点も同様である。
【０１２３】
以上説明した構成および処理手順を採用することによっても、状態区分に応じて課金額を算出することができ、リサイクル負荷に対応した課金額の調整ができる。ひいては、利用者に対して合理的でリーズナブルな課金処理を施すとともに、リサイクルシステムへの利用者の参加を実現できる。
【０１２４】
そして、書類の状態区分に応じた処理を可能とすることにより、シュレッダーダストの再利用を実現し、かつ、リサイクルコストを状態区分に応じた適切なレベルにまで低減できる。
【０１２５】
また、利用者が再生紙の原料となるシュレッダーダストを所定の分別をした上で提供することができ、リーズナブルであるとともに、リサイクルを考慮した課金体系に基づく、シュレッダー提供サービスとリサイクルとがあいまった新しいシュレッダー利用サービスを提供することができる。
【０１２６】
なお、本実施形態においては、前述したように書類記載情報を記憶手段３４が取得する構成を採用したことに伴い、切断する書類の書類記載情報を保管するサービスをあわせて提供する。具体的には、指紋読込装置など、個人認証用の認証情報取得手段をシュレッダー５０に設ける。そして、シュレッダー５０の処理手段１３は、シュレッダー５０の利用者から認証情報として指紋画像を取得する。取得した認証情報は、記憶手段１６の所定の領域に一時的に格納する。また、処理手段１３は、前述したように、書類記載情報取得手段１４を介して書類記載情報を取得するとともに、前述した認証情報取得手段を介して取得した認証情報を、書類記載情報と関連付けて記憶手段１６の所定の領域に格納する。
【０１２７】
このように、利用者を認証するための認証情報を書類記載情報と関連付けることにより、書類記載情報の個別性、識別性を向上させることができ、認証におけるセキュリティをより高いものにできる。
【０１２８】
そして、シュレッダー課金システム６０側では、前述したように、処理手段３３が、シュレッダー６０から受け付けた書類記載情報を、通信手段３２を介して受け付けるが、これと同じく、前述した認証情報を書類記載情報と関連付けて通信手段３２を介して受け付ける。そして、受け付けた認証情報を書類記載情報と関連付けて記憶手段３４の所定の領域に格納する。
【０１２９】
以上のように処理することにより、認証情報を用いたセキュリティ下で、書類記載情報を管理することができ、利用者の求めに応じて閲覧等に応じることも可能となる。
【０１３０】
また、書類記載情報に関連付けられた認証情報により、書類記載情報を提供した利用者を特定することもできので、利用者に固有の解析用データを取得できるシステムを構築できる。具体的には、前述したように、処理手段３３は、シュレッダー５０から書類記載情報を受け付けるとともに、書類記載情報を提供した利用者に固有の認証情報を受け付ける。そして、処理手段３３は、書類記載情報と認証情報との関連付けを利用し、受け付けた認証情報と、書類記載情報に基づき特定した状態区分と区分該当量を関連付ける。また、その関連付けに基づき、状態区分と区分該当量に基づき算出する課金額と受け付けた認証情報とを関連付ける。そして、処理手段３３は、認証情報と状態区分と区分該当量、課金額とを関連付けて記憶手段３４の所定の領域に格納する。
【０１３１】
そして、所定のタイミングで、処理手段３３は、認証情報に基づき、その関連付けにしたがって、状態区分と区分該当量、そして課金額を記憶手段３４の所定の領域から読み出し、解析用データを生成する。生成された解析用データは、記憶手段３４の所定の領域に格納され、必要に応じて閲覧等の利用に供される。
【０１３２】
なお、解析用データとして必要な情報が状態区分と区分該当量のみ、または課金額のみの場合は、いずれか必要なパラメータと認証情報を関連付け、記憶手段３４の所定の領域に格納すればよい。この場合、そのパラメータ（例えば課金額）のみについて、認証情報に基づき記憶手段３４の所定の領域から読み出し、読み出したパラメータについて解析用データを生成する。
【０１３３】
また、認証情報との関連付けは、直接的に関連付けるものに限られず、例えば、書類記載情報のファイル名などを介在させた間接的な関連付けであってもよい。
【０１３４】
これにより、認証情報という固体識別に秀でた利用者特定情報を用いて生成された、利用者毎の確実な解析用データを利用することが可能となる。ひいては、同一のシュレッダー５０を用いたとしても、利用者毎の利用履歴やリサイクル原材料の提供履歴、さらには課金調整の履歴などなどを取得することが可能となり、顧客動向分析など営業上の有益な情報の蓄積を実現できる。
【０１３５】
なお、このような書類記載情報管理機構を前述した第１実施形態に付随させる構成としてもよいことは言うまでもない。
【０１３６】
〔変形例〕
【０１３７】
本発明は、前述した第１実施形態や第２実施形態に限られるものではない。例えば、図１に示したシュレッダー１０が、記憶手段１１に課金額データベースを備える構成を採用してもよい。この場合、図６に示した処理手順に加えて、さらに、シュレッダー１０の処理手段１３が、特定した状態区分と区分該当量とに基づき、記憶手段１１が備える課金調整額データベースを参照して課金額を算出し、算出した課金額を記憶手段１１の所定の領域に格納する手順を実行することができる。
【０１３８】
よって、本変形例の構成では、シュレッダー１０がスタンドアローン的に課金計算まで行うので、シュレッダー課金システム３０側では、ネットワーク１を介して接続しているシュレッダー１０から課金額情報を取得し、その管理を行う簡易な構成でシステム運営を行うことができる。
【０１３９】
【発明の効果】
本発明は、以上のように構成され、機能するので、書類の状態区分に応じた処理を可能とすることにより、シュレッダーダストの再利用を実現し、かつ、リサイクルコストを状態区分に応じた適切なレベルにまで低減できる。
【０１４０】
また、利用者が再生紙の原料となるシュレッダーダストを所定の分別をした上で提供することができ、リーズナブルであるとともに、リサイクルを考慮した課金体系に基づく、シュレッダー提供サービスとリサイクルとがあいまった新しいシュレッダー利用サービスを提供することができる。
【図面の簡単な説明】
【図１】本発明にかかる第１実施形態のシュレッダー課金システムが接続されたネットワーク全体を示すブロック図である。
【図２】状態区分データベースのデータ構造の一例を示すデータ構造図である。
【図３】課金調整額データベースのデータ構造の一例を示すデータ構造図である。
【図４】本発明にかかるシュレッダーの概略構成図である。
【図５】（ａ）は、搬送制御手段の構成の一例を示した概略構成図である。（ｂ）は、（ａ）と異なる他の搬送制御手段の一例を示した概略構成図である。
【図６】シュレッダーにおける書類の区分判定処理およびシュレッダーダストの振り分け処理を示すフローチャートである。
【図７】シュレッダー課金システムにおける課金調整処理を示すフローチャートである。
【図８】本発明にかかる第２実施形態のシュレッダー課金システムが接続されたネットワーク全体を示すブロック図である。
【図９】図８に示したシステムの課金処理を示すフローチャートである。
【符号の説明】
１        ネットワーク
２        ネットワーク
３        モバイルＰＣ
４        携帯電話
１０      シュレッダー
１１      記憶手段
１１ａ    書類記載情報記憶領域
１１ｂ    状態区分データベース
１１ｃ    区分該当量記憶領域
１２      通信手段
１３      処理手段
１４      書類記載情報取得手段
１５      情報表示部
１６      記憶手段
１８      ストッカー
１９      差込口
２０      書類搬送路
２１      切断手段
２１ａ    カッター
２２      搬送用小型ローラ
２３      切断ダスト搬送路
２４      搬送用大型ローラ
２５      圧縮手段
２６      搬送制御手段
２７      圧縮ダスト搬送路
２８      切断書類収納部
２９      センサー
３０      シュレッダー課金システム
３１      記憶手段
３１ａ    課金調整額データベース
３２      通信手段
３３      処理手段
３４      記憶手段
４０      情報端末
４１      記憶手段
４２      通信手段
４３      処理手段
４４      表示手段
４５      入力手段
５０      シュレッダー
６０      シュレッダー課金システム
２６１    投入口
２６２    振り分け手段
２６３    連通路
２６４    ガイドプレート
【図１】
0004587619.tif 000002
【図２】
0004587619.tif 000003
【図３】
0004587619.tif 000004
【図４】
0004587619.tif 000005
【図５】
0004587619.tif 000006
【図６】
0004587619.tif 000007
【図７】
0004587619.tif 000008
【図８】
0004587619.tif 000009
【図９】
0004587619.tif 000010